(57)【要約】【課題】両面画像形成時の画像光沢差の防止。【解決手段】１面目は有色トナー上に、２面目は有色トナー以外のところに透明トナーによる画像形成をおこなう。加えて、光沢両面、非光沢両面で透明トナーの量を切り替える。【選択図】        図１
2005055517.tif 000002
【特許請求の範囲】
【請求項１】
記録材の表裏両面に画像を形成可能な画像型性装置において、透明トナーによる画形成手段を有し、該透明トナーによる画像形成箇所が記録材の表裏の画像形成で異なることを特徴とする画像形成装置。
【請求項２】
上記透明トナー画像形成箇所が、記録材の１面目の画像形成においては有色トナー上であり、２面目の画像形成においては有色トナー上ではないことを特徴とする請求項１に記載の画像形成装置。
【請求項３】
上記透明トナー画像形成手段による画像形成が、所望の画像光沢に応じて選択されることを特徴とする請求項１乃至２に記載の画像形成装置。
【発明の詳細な説明】
【０００１】
【発明の属する技術分野】
本発明は、電子写真複写機やプリンタ等の画像形成装置に係り、特に複数の画像形成手段を有し、且つ記録材の表裏両面に画像形成可能なカラー画像形成装置に関するものである。
【０００２】
【従来の技術】
上記のような画像形成装置の一例として、図９及び図１０に複数の光走査手段を有する４ドラムレーザビームプリンタを示す。
【０００３】
該プリンタは、図９に示すように、潜像担持体たる電子写真感光体（以下、「感光ドラム」とする）の周囲に、現像装置等を有して構成される画像形成手段たる画像形成ステイションが４個設けられ、該各画像形成ステイションにて形成された感光ドラム上の画像が、該感光ドラムに隣接して移動通過する搬送手段上の紙等の記録材（以下、単に紙とする）へ転写される構成となっている。
【０００４】
また、図８に示すように、マゼンタ、シアン、イエロー、ブラックの各色の画像を形成する各画像形成ステイションＰａ、Ｐｂ、Ｐｃ、Ｐｄには、それぞれ感光ドラム１ａ、１ｂ、１ｃ、１ｄが配置されており、各感光ドラムは矢印方向に回転自在となっている。さらに、各感光ドラム１ａ、１ｂ、１ｃ、１ｄの周囲には、帯電器１２ａ、１２ｂ、１２ｃ、１２ｄ及び現像装置２ａ、２ｂ、２ｃ、２ｄ、そして、クリーナ４ａ、４ｂ、４ｃ、４ｄが上記感光ドラムの回転方向に沿って順次配設されており、各感光ドラムの下方には、転写部３が配設されている。該転写部３は、各画像形成ステイションに共通の記録材搬送手段たる転写ベルト３１及び転写用帯電器３ａ、３ｂ、３ｃ、３ｄを有している。
【０００５】
以上のようなプリンタにおいて、図９に示す記録材供給手段たる給紙カセット６１から供給された紙Ｐは、転写ベルト３１上に支持されて各画像形成ステイションへ搬送され、上記各感光ドラム上に形成された各色のトナー像を順次転写される。この転写工程が終了すると、上記紙Ｐは転写ベルト３１から分離されて定着装置５へ記録材案内手段たる搬送ベルト６２により搬送される。
【０００６】
定着装置５は、図１１に詳細に示すように、回転自在に配設された定着ローラ５１と、該定着ローラ５１に圧接しながら回転する加圧ローラ５２と、離型剤供給塗布手段たる離型剤塗布装置５３と、ローラクリーニング装置５４、５５を有した構成となっている。定着ローラ５１及び加圧ローラ５２の内部には、ハロゲンランプ等のヒータ５６、５７がそれぞれ配設されている。また、定着ローラ５１及び加圧ローラ５２にはそれぞれサーミスタ５８、５９が接触するように配設されており、温度調節回路を介してヒータ５６、ヒータ５７への電圧を制御することにより定着ローラ５１及び加圧ローラ５２の表面の温度調節を行っている。
この状態において、紙が搬送されてくると、定着ローラ５１と加圧ローラ５２は一定速度で回転し、定着ローラ５１の表面に離型剤としてシリコーンオイルが塗布され、紙Ｐが定着ローラ５１と加圧ローラ５２の間を通過する際に表裏両面からほぼ一定の圧力、温度で加圧、加熱され紙表面上の未定着トナー像は溶融して定着され、紙Ｐ上にフルカラー画像が形成される。画像が定着された紙Ｐは下分離爪６８によって加圧ローラ５２から分離され機外へ排出される。また両面画像形成の場合は定着終了後に搬送路が切り替えられ記録材は表裏反転機構７０に送られ表裏反転される。そして搬送路７１に送られ両面トレイ７２を経由して再度画像形成部に搬送され両面２面目の画像形成が行なわれる。
【０００７】
【特許文献１】
特開２００２−３１８４８２号公報
【０００８】
【発明が解決しようとする課題】
しかしながら、従来の両面画像形成装置においては、以下に示すような問題が生じていた。記録材の１面目に形成した画像は定着装置を２回通過し２度定着が行なわれる。一方２面目に形成された画像は定着装置を１回通過し１度だけ定着が行なわれる。すなわち１面目画像は２面目画像に対して、過熱量、加圧量ともに２倍行なわれている。したがって定着後の画像の状態は１面目と２面目では当然異なり、１面目の画像は２面目よりより溶融し画像表面はより平滑になっていた。この結果１面目画像は２面目画像より光沢が増し、表裏で出力画像が異なり品位が低下してしまっていた。
【０００９】
一方、特開２００２−３１８４８２号公報には、光沢性を向上させるために色トナーの他に透明トナーを用いることが記載されている。このように、透明トナーは光沢性を向上させるために有効な技術であることが知られている。
【００１０】
【課題を解決するための手段】
本出願に係る第１の発明によれば、上記目的は、記録材の表裏両面に画像を形成可能な画像型性装置において、透明トナーによる画形成手段を有し、該透明トナーによる画像形成箇所が記録材の表裏の画像形成で異なることにより達成される。
【００１１】
本出願に係る第２の発明によれば、上記目的は、上記第１の発明における透明トナー画像形成箇所が、記録材の１面目の画像形成においては有色トナー上であり、２面目の画像形成においては有色トナー上ではないことにより達成される。
本出願に係る第３の発明によれば、上記目的は、上記第１及び第２の透明におけるトナー画像形成手段による画像形成が、所望の画像光沢に応じて選択されることより達成される。
【００１２】
（作用）
本出願に係る第１の発明によれば、記録材の表裏両面に画像を形成可能な画像型性装置において、透明トナーによる画形成手段を有し、該透明トナーによる画像形成箇所が記録材の表裏の画像形成で異なることにより、記録材の表裏で同等の光沢を得ることができる。
【００１３】
また、本出願に係る第２の発明によれば、上記第１の発明における透明トナー画像形成箇所が、記録材の１面目の画像形成においては有色トナー上であり、２面目の画像形成においては有色トナー上ではないことにより、記録材の表裏で同等の光沢を得ることができる。
【００１４】
また、本出願に係る第３の発明によれば、上記第１及び第２の透明におけるトナー画像形成手段による画像形成が、所望の画像光沢に応じて選択されることより記録材の表裏で同等の所望の光沢を得ることができる。
【００１５】
【発明の実施の形態】
以下、本発明の実施例を添付図面に基づいて説明する。
【００１６】
（第１の実施例）
先ず、本発明の第１の実施例を図１乃至図５に基づいて説明する。図１は本発明のフルカラー複写機の略断面図であり、図９に示した従来例との共通箇所には同一符号を付して説明を省略する。図２は本実施例のおける両面画像形成のフローチャートである。本実施例装置には、図１に示すように、従来の４つの画像形成ステーションの後に５番目の画像形成ステーションＰｅを設け、そのステーションＰｅによって透明トナーによる画像形成を可能にしたものである。ステーションＰｅの構成は、従来のステーションＰａ、Ｐｂ、Ｐｃ、Ｐｄと同様で説明を省略する。
【００１７】
本実施例は、両面画像形成時に光沢の低い２面目画像に透明トナーを用いることで、光沢の高い１面目画像と同等の光沢を得られるようにしたものである。
光沢の高低は画像の表面性が大きく影響している。図３に示すように定着が充分に行なわれた画像表面は平滑となるため高光沢となるが、定着が充分でない場合はトナーのある箇所とトナーがない箇所での表面の凸凹が大きくなり光沢が低くなる。両面の表裏で光沢差が生じるのはこの差が大きく影響している。
【００１８】
本実施例はこの差を埋めるべく、定着性が相対的に落ちている２面目において、凸凹上の凹の部分について透明トナーを用いて補うようにしたものである。
【００１９】
図１、図２を用いて、詳細の画像形成を説明する。
【００２０】
まずユーザーによって両面画像成形が選択される（１００）。すると本体は通常通り動作を開始し、まず１面目の画像型性を行なう。ここで１面目については通常通り４色の有色トナーで画像形成が行われ（１０１）、定着装置５で１面目の定着が行なわれる（１０２）。次に１面目の定着が終了した記録材は表裏反転機構７０に送られ表裏反転され、搬送路７１に送られ両面トレイ７２を経由して再度画像形成部に搬送され、両面２面目の画像形成が行なわれる（１０３）。ここで２面目の画像形成時には４色の有色トナーで画像形成を行なった後に、ステーションＰｅにおいて透明トナーを用いて画像形成が行なわれていない箇所に有色トナーで画像形成を行なう（１０４）。透明トナーを含めた５色のトナーを画像形成された２面目画像は再び定着装置５に搬送され定着が行なわれる（１０５）。このようにして得られた両面画像の表面のトナーの状態の模式図を図４に示す。１面目は２回の定着が行なわれている為、充分に溶融、加圧がおこなわれ、表面は平滑になる。２面目は１面目に比べて溶融、加圧は劣るものの、トナーとトナーとの間に透明トナーが存在しているので、画像の表面は１面目と同様に平滑になっている。このようにすることで表裏とも高光沢画像を得ることができる。
【００２１】
透明トナーを用いて有色トナー以外の箇所に透明トナーで画像形成を行なう手段としては、例えば図５に示すように有色トナーの画像信号以外の箇所に、レーザーのＯＮ／ＯＦＦの制御により潜像し、透明トナー画像を形成する方法等があげられる。
【００２２】
ここで２面目の画像形成時に全体を透明トナーで画像形成する場合も画像表面は平滑になるが、この場合は透明トナーの使用量が多くなったり、最大トナー乗り量が有色トナーと透明トナーとの和になるため、定着性が低下することになり、発色が不十分になったり、定着不良が発生したりするので好ましくない。
【００２３】
（実施例２）
実施例１においては１面目画像形成時には透明トナーによる画像形成を行なわないとしたが、本実施例においては１面目の有色トナー上にも透明トナーで画像形成を行なった。図６を用いて本実施例の画像形成を説明する。まずユーザーによって両面画像成形が選択される（２００）。すると本体は通常通り動作を開始し、まず１面目の画像形成を行なう（２０１）。ここで１面目については通常通り４色の有色トナーで画像形成が行われたあと、その有色トナー上をステーションＰｅの透明トナーで画像形成する（２０２）。そして定着装置５で１面目の定着が行なわれる（２０３）。次に１面目の定着が終了した記録材は表裏反転機構７０に送られ表裏反転され、搬送路７１に送られ両面トレイ７２を経由して再度画像形成部に搬送され、有色トナーで両面２面目の画像形成が行なわれる（２０４）。ここで２面目の画像形成時には４色の有色トナーで画像形成を行なった後に、ステーションＰｅにおいて透明トナーを用いて画像形成が行なわれていない箇所に有色トナーで画像形成を行なう（２０５）。そして定着装置５で２面目の定着が行なわれる（２０６）。このようにすることで、図７に示すように１面目の１回目の定着時には定着するトナー量が多くなる為、定着性が低下する。よって表裏反転した２回目の定着後の画像も透明トナーが無い場合より定着性は低下しており、その結果画像光沢も低くできる。２面目の画像形成は実施例１と同様に有色トナー以外の箇所に透明トナー画像形成を行う。このように１面目と２面目で透明トナーの画像形成箇所を異ならせることによって、より細かく出力画像光沢の調整をすることができる。この場合透明トナーは有色トナーより溶けにくく材料設計しておくことが好ましい。
【００２４】
（実施例３）
実施例１や実施例２のように、１面目と２面目で透明トナー画像形成箇所を異ならせ、且つその透明トナーの量を出力画像に応じて変えることによって、所望の画像光沢を得ることが可能となる。
【００２５】
図８にその制御フローチャートを示す。表裏両面共に光沢の無い画像出力を行うとユーザーが入力した場合には、１面目の透明トナー量を多く、２面目の透明トナー量を少なくすれば良い。逆に表裏ともに高光沢画像の出力を行なうと入力された場合は、１面目の透明トナー量を少なく、２面目の透明トナー量を多くすれば良い。
【００２６】
このようすることでユーザーの希望に応じて表裏の出力画像光沢を細かく設定することが可能となる。
【００２７】
ここで有色トナーと透明トナーとの量の割合は各トナーの物性値によってことなってくる。
【００２８】
【発明の効果】
以上説明したように、本出願に係る第１の発明によれば、
記録材の表裏両面に画像を形成可能な画像型性装置において、透明トナーによる画形成手段を有し、該透明トナーによる画像形成箇所が記録材の表裏の画像形成で異なることにより両面画像の表裏でほぼ同一の光沢を得ることができる。
【００２９】
また、本出願に係る第２の発明によれば、第１の発明において透明トナー画像形成箇所が、記録材の１面目の画像形成においては有色トナー上であり、２面目の画像形成においては有色トナー上ではないことにより両面画像の表裏でほぼ同一の光沢を得ることができる。
【００３０】
また、本出願に係る第３の発明によれば、第１及び第２の発明において透明トナー画像形成手段による画像形成が、所望の画像光沢に応じて選択されることにより、所望の光沢画像を得ることができる。
【図面の簡単な説明】
【図１】本発明の第１の実施形態を示す画像形成装置の断面図。
【図２】本発明の第１の実施形態を示す画像形成フローチャート。
【図３】両面定着後のトナー断面の模式図。
【図４】本発明の第１の実施形態による両面画像のトナー断面の模式図。
【図５】本発明の第１の実施形態の画像形成を示す模式図。
【図６】本発明の第２の実施形態を示す画像形成フローチャート。
【図７】本発明の第２の実施形態によるトナー断面模式図。
【図８】本発明の第３の実施形態を示す画像形成フローチャート。
【図９】従来の画像形成装置の断面図。
【図１０】図９の像形成部の拡大図。
【図１１】従来の定着器の概略断面図。
【符号の説明】
Ｐｅ  透明トナー画像形成ステーション
５  定着装置
７０  表裏反転機構
【図１】
2005055517.tif 000003
【図２】
2005055517.tif 000004
【図３】
2005055517.tif 000005
【図４】
2005055517.tif 000006
【図５】
2005055517.tif 000007
【図６】
2005055517.tif 000008
【図７】
2005055517.tif 000009
【図８】
2005055517.tif 000010
【図９】
2005055517.tif 000011
【図１０】
2005055517.tif 000012
【図１１】
2005055517.tif 000013